(57)【要約】【課題】幅を狭くすることができるとともに、配線経路の設計上の自由度を高めることができる、配線部材を提供する。【解決手段】配線部材１０は、複数の導線１２ａ〜１２ｊを覆いかつ支持する帯状の支持体１４を備えている。支持体１４は、スリット１８およびその延長線Ｎ１によって第１部分２０と第２部分２２とに区分されている。第１部分２０の一部には、第１山折り線２４ａと第１谷折り線２４ｂとによって第２部分２２に重なるように折られる第１折り部２４が設けられており、第２部分２２の一部には、第２山折り線２６ａと第２谷折り線２６ｂとによって第１部分２０に重なるように折られる第２折り部２６が設けられている。各折り線２４ａ，２４ｂ，２６ａ，２６ｂは、支持体１４の表面Ｓ１でスリット１８に直交する仮想直線Ｌに対して同じ角度αで傾斜している。【選択図】図１
2019008992.tif 000002
【特許請求の範囲】
【請求項１】
互いに間隔を隔てて平行に並べられた可撓性を有する複数の導線と、
可撓性および絶縁性を有し、前記複数の導線を覆いかつ支持する帯状の支持体とを備える配線部材において、
前記支持体は、前記支持体に長手方向に延びて設けられたスリットおよびその延長線によって、前記複数の導線のうち少なくとも１本の導線を支持する第１部分と、前記複数の導線のうち少なくとも１本の導線を支持する第２部分とに区分されており、
前記第１部分の一部には、第１山折り線と第１谷折り線とによって前記第２部分に重なるように折られる第１折り部が設けられており、
前記第１折り部よりも前記支持体の一方端側に位置する前記第２部分の一部には、第２山折り線と第２谷折り線とによって前記第１部分に重なるように折られる第２折り部が設けられており、
前記第１山折り線、前記第１谷折り線、前記第２山折り線および前記第２谷折り線のそれぞれは、前記支持体の表面で前記スリットに直交する仮想直線に対して同じ角度で傾斜していることを特徴とする、配線部材。
【請求項２】
前記第１谷折り線は、前記第１山折り線よりも前記支持体の一方端側に設けられており、
前記第２谷折り線は、前記第２山折り線よりも前記支持体の一方端側に設けられており、
前記第１山折り線および前記第１谷折り線のそれぞれの前記スリット側の端部は、その反対側の端部よりも前記支持体の一方端側に設けられており、
前記第２山折り線および前記第２谷折り線のそれぞれの前記スリット側の端部は、その反対側の端部よりも前記支持体の他方端側に設けられており、
前記第１山折り線と前記第１谷折り線との間隔は、前記第２山折り線と前記第２谷折り線との間隔と同じにされている、請求項１に記載の配線部材。
【請求項３】
前記第１部分と前記第２部分とは、互いに間隔を隔てて平行に設けられた２本の前記スリットおよびそれらの延長線によって区分されており、
一方の前記スリットおよびその延長線と他方の前記スリットおよびその延長線との間には、前記複数の導線のうち少なくとも１本の導線を支持する第３部分が設けられており、
前記第３部分には、第３山折り線と第３谷折り線とによって前記第１部分に重なるように折られる第３折り部と、第４山折り線と第４谷折り線とによって前記第２部分に重なるように折られる第４折り部とが設けられており、
前記第１折り部、前記第２折り部、前記第３折り部および前記第４折り部が折られることによって、前記第１部分、前記第３部分および前記第２部分がこの順に重ね合わされる、請求項２に記載の配線部材。
【請求項４】
前記第３山折り線、前記第３谷折り線、前記第４山折り線および前記第４谷折り線のそれぞれは、前記第１山折り線、前記第１谷折り線、前記第２山折り線および前記第２谷折り線のそれぞれと平行に設けられており、
前記第３山折り線と前記第３谷折り線との間隔および前記第４山折り線と前記第４谷折り線との間隔は、前記第１山折り線と前記第１谷折り線との間隔および前記第２山折り線と前記第２谷折り線との間隔のそれぞれの２分の１にされている、請求項３に記載の配線部材。
【請求項５】
前記第１部分および前記第２部分のそれぞれに含まれる前記導線には、接地用のグランド端子が設けられている、請求項４に記載の配線部材。
【請求項６】
前記第１部分および前記第２部分のそれぞれの幅は、前記第３部分の幅よりも広くされている、請求項５に記載の配線部材。
【請求項７】
前記第１部分および前記第２部分のそれぞれの表面のうち、前記第１部分と前記第２部分とが重ね合わされた重なり部の表面を構成する部分には、シールド層が設けられている、請求項１ないし６のいずれか１項に記載の配線部材。
【請求項８】
前記第１部分と前記第２部分とが重ね合わされた重なり部の周囲には、磁性部材が設けられている、請求項１ないし７のいずれか１項に記載の配線部材。
【発明の詳細な説明】
【技術分野】
【０００１】
この発明は、配線部材に関し、特にたとえば、可撓性を有する帯状の配線部材に関する。
【背景技術】
【０００２】
背景技術の一例が特許文献１に開示されている。特許文献１に開示された配線部材は、複数の信号線と、信号線を支持する帯状の支持体とを有している。支持体の幅方向中央部には、長手方向に沿ってスリットが設けられており、配線部材はスリットによって複数の分離部分に分離されている。配線部材を使用する際には、配線部材の一方端部が表側から一方向に折り曲げられ、配線部材の他方端部が裏側から上記一方向とは逆の方向に折り曲げられる。これにより分離部分どうしが重ね合わされて、配線部材の幅が狭くなる。
【先行技術文献】
【特許文献】
【０００３】
【特許文献１】特開昭６２−８２６０７号公報
【発明の概要】
【発明が解決しようとする課題】
【０００４】
しかしながら、上記特許文献１に開示された配線部材では、配線部材の両端部が互いに逆方向に折り曲げられていたので、配線部材を含む配線経路を直線的に設けることが困難であり、配線経路の設計上の自由度が低いという問題があった。
【０００５】
それゆえに、この発明の主たる目的は、新規な配線部材を提供することである。
【０００６】
この発明の他の目的は、幅を狭くすることができるとともに、配線経路の設計上の自由度を高めることができる、配線部材を提供することである。
【課題を解決するための手段】
【０００７】
第１の発明は、互いに間隔を隔てて平行に並べられた可撓性を有する複数の導線と、可撓性および絶縁性を有し、複数の導線を覆いかつ支持する帯状の支持体とを備える配線部材において、支持体は、支持体に長手方向に延びて設けられたスリットおよびその延長線によって、複数の導線のうち少なくとも１本の導線を支持する第１部分と、複数の導線のうち少なくとも１本の導線を支持する第２部分とに区分されており、第１部分の一部には、第１山折り線と第１谷折り線とによって前記第２部分に重なるように折られる第１折り部が設けられており、第１折り部よりも支持体の一方端側に位置する第２部分の一部には、第２山折り線と第２谷折り線とによって第１部分に重なるように折られる第２折り部が設けられており、第１山折り線、第１谷折り線、第２山折り線および第２谷折り線のそれぞれは、支持体の表面でスリットに直交する仮想直線に対して同じ角度で傾斜していることを特徴とする、配線部材である。
【０００８】
第１の発明では、第１部分の第１折り部が第２部分に重なるように折られ、第２部分の第２折り部が第１部分に重なるように折られる。したがって、第１折り部と第２折り部との間では、第１部分と第２部分とを重ねることができ、配線部材の幅を狭くすることができる。
【０００９】
また、第１折り部は、第１山折り線と第１谷折り線とによって折られ、第２折り部は、第２山折り線と第２谷折り線とによって折られるので、配線部材の両端部の向きを一定方向に維持できる。つまり、特許文献１の配線部材のように、配線部材の両端部が互いに逆方向に折り曲げられることはない。したがって、配線経路の設計上の自由度を高めることができる。
【００１０】
さらに、第１山折り線、第１谷折り線、第２山折り線および第２谷折り線のそれぞれは、仮想直線に対して同じ角度で傾斜しているので、これらの折り線を形成し易く、第１折り部および第２折り部を簡単に折ることができる。
【００１１】
第２の発明は、第１の発明に従属し、第１谷折り線は、第１山折り線よりも支持体の一方端側に設けられており、第２谷折り線は、第２山折り線よりも支持体の一方端側に設けられており、第１山折り線および第１谷折り線のそれぞれのスリット側の端部は、その反対側の端部よりも支持体の一方端側に設けられており、第２山折り線および第２谷折り線のそれぞれのスリット側の端部は、その反対側の端部よりも支持体の他方端側に設けられており、第１山折り線と第１谷折り線との間隔は、第２山折り線と第２谷折り線との間隔と同じにされている。
【００１２】
第２の発明では、第１折り部および第２折り部のそれぞれにおいて、谷折り線と山折り線との並び順が同じにされているので、第１折り部および第２折り部を簡単に折ることができる。
【００１３】
第３の発明は、第２の発明に従属し、第１部分と第２部分とは、互いに間隔を隔てて平行に設けられた２本のスリットおよびそれらの延長線によって区分されており、一方のスリットおよびその延長線と他方のスリットおよびその延長線との間には、複数の導線のうち少なくとも１本の導線を支持する第３部分が設けられており、第３部分には、第３山折り線と第３谷折り線とによって第１部分に重なるように折られる第３折り部と、第４山折り線と第４谷折り線とによって第２部分に重なるように折られる第４折り部とが設けられており、第１折り部、第２折り部、第３折り部および第４折り部が折られることによって、第１部分、第３部分および第２部分がこの順に重ね合わされる。
【００１４】
第３の発明では、２本のスリットおよびそれらの延長線で区分された３つの部分が互いに重ね合わされるので、１本のスリットおよびその延長線で区分された２つの部分が互いに重ね合わされる場合に比べて、配線部材の幅をより狭くすることができる。
【００１５】
第４の発明は、第３の発明に従属し、第３山折り線、第３谷折り線、第４山折り線および第４谷折り線のそれぞれは、第１山折り線、第１谷折り線、第２山折り線および第２谷折り線のそれぞれと平行に設けられており、第３山折り線と第３谷折り線との間隔および第４山折り線と第４谷折り線との間隔は、第１山折り線と第１谷折り線との間隔および第２山折り線と第２谷折り線との間隔のそれぞれの２分の１にされている。
【００１６】
第４の発明では、第３山折り線、第３谷折り線、第４山折り線および第４谷折り線のそれぞれが、他の折り線と平行に設けられているので、これらの折り線を形成し易く、第３折り部および第４折り部を簡単に折ることができる。また、第３山折り線と第３谷折り線との間隔および第４山折り線と第４谷折り線との間隔は、第１山折り線と第１谷折り線との間隔および第２山折り線と第２谷折り線との間隔のそれぞれの２分の１にされているので、第１部分、第２部分および第３部分を重ね合わせたときに、これらの長さを揃えることができる。
【００１７】
第５の発明は、第４の発明に従属し、第１部分および第２部分のそれぞれに含まれる導線には、接地用のグランド端子が設けられている。
【００１８】
第５の発明では、第１部分および第２部分のそれぞれに含まれる導線によって、第３部分に含まれる導線に関わる電磁波を遮断することができる。
【００１９】
第６の発明は、第５の発明に従属し、第１部分および第２部分のそれぞれの幅は、第３部分の幅よりも広くされている。
【００２０】
第６の発明では、第１部分および第２部分のそれぞれに含まれる導線によって、第３部分に含まれる導線に関わる電磁波を広い範囲で遮断することができる。
【００２１】
第７の発明は、第１ないし６のいずれかの発明に従属し、第１部分および第２部分のそれぞれの表面のうち、第１部分と第２部分とが重ね合わされた重なり部の表面を構成する部分には、電磁波を遮断するシールド層が設けられている。
【００２２】
第７の発明では、第１部分および第２部分のそれぞれの表面に設けられたシールド層によって、第３部分に含まれる導線に関わる電磁波を遮断することができる。
【００２３】
第８の発明は、第１ないし７のいずれかの発明に従属し、第１部分と第２部分とが重ね合わされた重なり部の周囲には、磁性部材が設けられている。
【００２４】
第８の発明では、重なり部の周囲に磁性部材が設けられるので、磁性部材を小型化できる。また、配線部材の幅は、重なり部で狭くなるので、重なり部の長手方向における磁性部材の動きを、重なり部の長手方向両端部に設けられた第１折り部および第２折り部で制限できる。
【発明の効果】
【００２５】
この発明によれば、配線部材の幅を狭くすることができるとともに、配線経路の設計上の自由度を高めることができる。
【００２６】
この発明の上述の目的、その他の目的、特徴および利点は、図面を参照して行う以下の実施例の詳細な説明から一層明らかとなろう。
【図面の簡単な説明】
【００２７】
【図１】この発明の第１実施例に係る配線部材の構成を示す図であり、図１（Ａ）は折られる前の構成を示す平面図であり、図１（Ｂ）は折られた後の構成を示す平面図であり、図１（Ｃ）は図１（Ｂ）におけるＩＣ−ＩＣ線拡大端面図である。
【図２】この発明の第１実施例に係る配線部材の折り方を示す図であり、図２（Ａ）は折られる前の構成を示す斜視図であり、図２（Ｂ）は折られる途中の構成を示す斜視図であり、図２（Ｃ）は折られた後の構成を示す斜視図である。
【図３】この発明の第１実施例に係る配線部材にシールド層を付加した構成を示す断面図である。
【図４】この発明の第２実施例に係る配線部材の構成を示す図であり、図４（Ａ）は折られる前の構成を示す平面図であり、図４（Ｂ）は折られた後の構成を示す平面図であり、図４（Ｃ）は図４（Ｂ）におけるIVＣ−IVＣ線拡大端面図である。
【図５】この発明の第２実施例に係る配線部材の折り方を示す図であり、図５（Ａ）は折られる前の構成を示す斜視図であり、図５（Ｂ）は折られる途中の構成を示す斜視図であり、図５（Ｃ）は折られた後の構成を示す斜視図である。
【図６】この発明の第３実施例に係る配線部材の構成を示す図であり、図６（Ａ）は折られる前の構成を示す平面図であり、図６（Ｂ）は折られた後に磁性部材を設けた構成を示す平面図である。
【図７】この発明の第４実施例に係る配線部材の構成を示す図であり、図７（Ａ）は折られる前の構成を示す平面図であり、図７（Ｂ）は折られた後の構成を示す平面図である。
【発明を実施するための形態】
【００２８】
以下、本発明の実施例に係る配線部材について図面を参照しながら説明する。
［第１実施例］
図１は、この発明の第１実施例に係る配線部材１０の構成を示す図であり、図１（Ａ）は折られる前の構成を示す平面図であり、図１（Ｂ）は折られた後の構成を示す平面図であり、図１（Ｃ）は図１（Ｂ）におけるＩＣ−ＩＣ線拡大端面図である。
【００２９】
図１（Ａ）〜（Ｃ）に示す配線部材１０は、画像形成装置（たとえば、複写機、ファクシミリ、プリンタまたはこれらの複合機）の画像読取部などの可動部に接続されて、筐体内の配線経路に沿って配線されるものであり、可撓性を有する帯状に構成されている。
【００３０】
なお、画像読取部は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度や色度が検出され、原稿表面の画像に基づく画像データが生成される。ラインセンサとしては、ＣＣＤ（Charge Coupled Device）やＣＩＳ（Contact Image Sensor）等が用いられる。
【００３１】
図１（Ａ）に示すように、配線部材１０は、互いに間隔を隔てて平行に並べられた可撓性を有する複数（本実施例では１０本）の導線１２ａ〜１２ｊと、可撓性および絶縁性を有し、複数の導線１２ａ〜１２ｊを覆いかつ支持する帯状の支持体１４とを備えている。
【００３２】
各導線１２ａ〜１２ｊは、銅などの可撓性を有する導電材料で形成されており、各導線１２ａ〜１２ｊの両端部には、端子１６ａ〜１６ｊが設けられている。図１（Ｃ）に示すように、本実施例では、各導線１２ａ〜１２ｊの断面形状が円形に形成されているが、この断面形状は、特に限定されるものではなく、たとえば偏平な四角形に形成されてもよい。
【００３３】
支持体１４は、ポリエチレンテレフタレート（ＰＥＴ）などの可撓性を有する絶縁材料で形成されている。本実施例の支持体１４は、２枚の絶縁フィルム（図示省略）を互いに接合することによって構成されている。各導線１２ａ〜１２ｊは、２枚の絶縁フィルムの間に設けられており、各端子１６ａ〜１６ｊは、一方の絶縁フィルムの表面に設けられている。他方の絶縁フィルムは、一方の絶縁フィルムよりも短く形成されており、これにより各端子１６ａ〜１６ｊが外部に露出している。なお、２枚の絶縁フィルム（図示省略）は一体化されているため、図１（Ｃ）では、これらを区別していない。
【００３４】
図１（Ａ）に示すように、支持体１４は、支持体１４に長手方向に延びて設けられたスリット１８およびその延長線Ｎ１によって、複数の導線１２ａ〜１２ｊのうち５本の導線１２ａ〜１２ｅを支持する第１部分２０と、複数の導線１２ａ〜１２ｊのうち他の５本の導線１２ｆ〜１２ｊを支持する第２部分２２とに区分されている。本実施例では、支持体１４の長手方向に垂直な幅方向（短手方向）中央部にスリット１８が設けられており、これにより第１部分２０の幅と第２部分２２の幅とが同じにされている。なお、第１部分２０および第２部分２２が支持する導線の数は、特に限定されるものではなく、少なくとも１本であればよい。
【００３５】
図１（Ａ）に示すように、第１部分２０の一部には、第１山折り線２４ａと第１谷折り線２４ｂとによって第２部分２２に重なるように折られる第１折り部２４が設けられている。一方、第１折り部２４よりも支持体１４の一方端１４ａ側に位置する第２部分２２の一部には、第２山折り線２６ａと第２谷折り線２６ｂとによって第１部分２０に重なるように折られる第２折り部２６が設けられている。
【００３６】
図１（Ａ）に示すように、第１山折り線２４ａ、第１谷折り線２４ｂ、第２山折り線２６ａおよび第２谷折り線２６ｂのそれぞれは、支持体１４の表面Ｓ１でスリット１８に直交し、支持体１４の幅方向に平行である仮想直線Ｌに対して同じ角度αで傾斜している。本実施例では、角度αが４５度に定められている。したがって、折り線２４ａ，２４ｂ，２６ａ，２６ｂのいずれか１つで第１部分２０または第２部分２２を折ると、第１部分２０または第２部分２２の延びる方向が９０度変更される。
【００３７】
図１（Ａ）に示すように、第１谷折り線２４ｂは、第１山折り線２４ａよりも支持体１４の一方端１４ａ側に設けられており、第２谷折り線２６ｂは、第２山折り線２６ａよりも支持体１４の一方端１４ａ側に設けられている。
【００３８】
第１山折り線２４ａおよび第１谷折り線２４ｂのそれぞれは、スリット１８側の端部がその反対側の端部よりも支持体１４の一方端１４ａ側でスリット１８に臨むように設けられている。第２山折り線２６ａおよび第２谷折り線２６ｂのそれぞれは、スリット１８側の端部がその反対側の端部よりも支持体１４の他方端１４ｂ側でスリット１８に臨むように設けられている。
【００３９】
また、第１山折り線２４ａと第１谷折り線２４ｂとの間隔は、第２山折り線２６ａと第２谷折り線２６ｂとの間隔と同じにされている。さらに、支持体１４の長手方向における第１山折り線２４ａと第１谷折り線２４ｂとの間隔および支持体１４の長手方向における第２山折り線２６ａと第２谷折り線２６ｂとの間隔は、第１部分２０および第２部分２２のそれぞれの幅と同じにされている。
【００４０】
図１（Ｂ）に示すように、第１折り部２４および第２折り部２６を折ったときには、第１部分２０と第２部分２２とが重ね合わされることによって重なり部３０が構成される。上記の構成により、重なり部３０の幅は、折られる前の配線部材１０の幅の２分の１になる。図１（Ｂ）では、支持体１４の裏面Ｓ２を斜線で示している。
【００４１】
なお、第１山折り線２４ａと第１谷折り線２４ｂとの間隔、第２山折り線２６ａと第２谷折り線２６ｂとの間隔および角度αは、適宜変更されてもよく、第１部分２０と第２部分２２とは、それらの幅方向の一部でのみ重ね合わされてもよい。ただし、上述したように、第１山折り線２４ａと第１谷折り線２４ｂとの間隔は、第２山折り線２６ａと第２谷折り線２６ｂとの間隔と同じである。
【００４２】
図２は、第１実施例に係る配線部材１０の折り方を示す図であり、図２（Ａ）は折られる前の構成を示す斜視図、図２（Ｂ）は折られる途中の構成を示す斜視図、図２（Ｃ）は折られた後の構成を示す斜視図である。なお、図２では、各導線１２ａ〜１２ｊを省略している。
【００４３】
配線部材１０を折る際には、まず、図２（Ａ）に示すように、第１部分２０において第１山折り線２４ａおよび第１谷折り線２４ｂの位置を決定し、第２部分２２において第２山折り線２６ａおよび第２谷折り線２６ｂの位置を決定する。
【００４４】
続いて、図２（Ｂ）に示すように、第１山折り線２４ａで第１部分２０を山型に折るとともに、第１谷折り線２４ｂで第１部分２０を谷型に折る。また、第２山折り線２６ａで第２部分２２を山型に折るとともに、第２谷折り線２６ｂで第２部分２２を谷型に折る。
【００４５】
その後、図２（Ｂ），（Ｃ）に示すように、第１山折り線２４ａおよび第１谷折り線２４ｂによって第１折り部２４を第２部分２２に重なるように折るとともに、第２山折り線２６ａおよび第２谷折り線２６ｂによって第２折り部２６を第１部分２０に重なるように折る。図２（Ｃ）に示すように、第１折り部２４および第２折り部２６を完全に折った状態では、第１部分２０の一部と第２部分２２の一部とが互いに重ね合わされる。なお、図２（Ｃ）では、支持体１４の裏面Ｓ２を斜線で示している。
【００４６】
第１実施例に係る配線部材１０によれば、上記の構成より以下の効果を奏することができる。すなわち、図２（Ｂ）に示すように、第１部分２０の第１折り部２４が第２部分２２に重なるように折られ、第２部分２２の第２折り部２６が第１部分２０に重なるように折られるので、第１部分２０と第２部分２２とを重ね合わせて配線部材１０の幅を狭くすることができる。
【００４７】
図２（Ｂ）に示すように、第１折り部２４は、第１山折り線２４ａと第１谷折り線２４ｂとによって折られ、第２折り部２６は、第２山折り線２６ａと第２谷折り線２６ｂとによって折られるので、配線部材１０の両端部の向きが変わることがなく、配線部材１０を含む配線経路の設計上の自由度を高めることができる。
【００４８】
図１（Ａ）に示すように、第１山折り線２４ａ、第１谷折り線２４ｂ、第２山折り線２６ａおよび第２谷折り線２６ｂのそれぞれは、仮想直線Ｌに対して同じ角度αで傾斜しているので、これらの折り線２４ａ，２４ｂ，２６ａ，２６ｂを形成し易く、第１折り部２４および第２折り部２６を簡単に折ることができる。
【００４９】
図１（Ａ）に示すように、第１折り部２４および第２折り部２６のそれぞれにおいて、山折り線２４ａ，２６ａと谷折り線２４ｂ，２６ｂとの並び順が同じにされているので、第１折り部２４および第２折り部２６を簡単に折ることができる。
【００５０】
図３は、第１実施例に係る配線部材１０にシールド層３２を付加した構成を示す断面である。図３に示すように、配線部材１０における第１部分２０および第２部分２２のそれぞれの表面のうち、第１部分２０と第２部分２２とが重ね合わされた重なり部３０の表面を構成する部分には、シールド層３２が設けられてもよい。
【００５１】
図３に示すシールド層３２は、銅、銀、アルミニウム、金などの導電率が高い金属層であり、具体的には、金属テープの貼り付けや、金属粒子の蒸着により形成されている。重なり部３０の表面にシールド層３２を設けると、導線１２ａ〜１２ｊで発生した電磁波が外部に漏洩したり、外部の電磁波が導線１２ａ〜１２ｊを流れる電流に混入したりすることを抑制できる。
［第２実施例］
図４は、この発明の第２実施例に係る配線部材４０の構成を示す図であり、図４（Ａ）は折られる前の構成を示す平面図であり、図４（Ｂ）は折られた後の構成を示す平面図であり、図４（Ｃ）は図４（Ｂ）におけるIVＣ−IVＣ線拡大端面図である。
【００５２】
図４（Ａ）に示すように、配線部材４０は、互いに間隔を隔てて平行に並べられた可撓性を有する複数（本実施例では９本）の導線４２ａ〜４２ｉと、可撓性および絶縁性を有し、複数の導線４２ａ〜４２ｉを覆いかつ支持する帯状の支持体４４とを備えている。各導線４２ａ〜４２ｉの両端部には、端子４６ａ〜４６ｉが設けられている。各導線４２ａ〜４２ｉは、第１実施例の各導線１２ａ〜１２ｊとほぼ同様に構成されており、各端子４６ａ〜４６ｉは、第１実施例の各端子１６ａ〜１６ｊとほぼ同様に構成されている。支持体４４は、スリットの数や折り方を除いて、第１実施例の支持体１４とほぼ同様に構成されている。
【００５３】
図４（Ａ）に示すように、支持体４４には、２本のスリット４８，５０が、互いに間隔を隔てて平行に設けられており、支持体４４は、２本のスリット４８，５０およびそれらの延長線Ｎ２，Ｎ３によって、３本の導線４２ａ〜４２ｃを支持する第１部分５２と、３本の導線４２ｇ〜４２ｉを支持する第２部分５４と、３本の導線４２ｄ〜４２ｆを支持する第３部分５６とに区分されている。つまり、一方のスリット４８およびその延長線Ｎ２と他方のスリット５０およびその延長線Ｎ３との間に第３部分５６が設けられている。なお、第３部分５６が支持する導線の数は、特に限定されるものではなく、少なくとも１本であればよい。
【００５４】
本実施形態では、第１部分５２、第２部分５４および第３部分５６のそれぞれの幅が同じにされている。図４（Ａ）に示すように、第１部分５２の一部には、第１山折り線５８ａと第１谷折り線５８ｂとによって第２部分５４に重なるように折られる第１折り部５８が設けられている。一方、第１折り部５８よりも支持体４４の一方端４４ａ側に位置する第２部分５４の一部には、第２山折り線６０ａと第２谷折り線６０ｂとによって第１部分５２に重なるように折られる第２折り部６０が設けられている。第１折り部５８は、第１実施例の第１折り部２４と同様に構成されており、第２折り部６０は、第１実施例の第２折り部２６と同様に構成されているので、これらの詳細な説明は省略する。
【００５５】
図４（Ａ）に示すように、第３部分５６には、第３山折り線６２ａと第３谷折り線６２ｂとによって第１部分５２に重なるように折られる第３折り部６２と、第４山折り線６４ａと第４谷折り線６４ｂとによって第２部分５４に重なるように折られる第４折り部６４とが設けられている。
【００５６】
図４（Ａ）に示すように、第３山折り線６２ａ、第３谷折り線６２ｂ、第４山折り線６４ａおよび第４谷折り線６４ｂのそれぞれは、第１山折り線５８ａ、第１谷折り線５８ｂ、第２山折り線６０ａおよび第２谷折り線６０ｂのそれぞれと平行に設けられている。
【００５７】
図４（Ａ）に示すように、第３山折り線６２ａと第３谷折り線６２ｂとの間隔（最短距離）Ｗ３および第４山折り線６４ａと第４谷折り線６４ｂとの間隔（最短距離）Ｗ４は、第１山折り線５８ａと第１谷折り線５８ｂとの間隔（最短距離）Ｗ１および第２山折り線６０ａと第２谷折り線６０ｂとの間隔（最短距離）Ｗ２のそれぞれの２分の１にされている。
【００５８】
図４（Ｂ），（Ｃ）に示すように、第１折り部５８、第２折り部６０、第３折り部６２および第４折り部６４を折ったときには、第１部分５２、第３部分５６および第２部分５４がこの順に重ね合わされて、重なり部６６が構成される。上記の構成により、重なり部６６の幅は、折られる前の配線部材４０の幅の３分の１になる。図４（Ｂ）では、支持体４４の裏面Ｓ２を斜線で示している。
【００５９】
図５は、この発明の第２実施例に係る配線部材４０の折り方を示す図であり、図５（Ａ）は折られる前の構成を示す斜視図であり、図５（Ｂ）は折られる途中の構成を示す斜視図であり、図５（Ｃ）は折られた後の構成を示す斜視図である。なお、図５では、各導線４２ａ〜４２ｉを省略している。
【００６０】
配線部材４０を折る際には、まず、図５（Ａ）に示すように、第１部分５２において第１山折り線５８ａおよび第１谷折り線５８ｂの位置を決定し、第２部分５４において第２山折り線６０ａおよび第２谷折り線６０ｂの位置を決定する。また、第３部分５６において第３山折り線６２ａおよび第３谷折り線６２ｂの位置を決定するとともに、第４山折り線６４ａおよび第４谷折り線６４ｂの位置を決定する。
【００６１】
続いて、図５（Ａ），（Ｂ）に示すように、第１山折り線５８ａで第１部分５２を山型に折るとともに、第１谷折り線５８ｂで第１部分５２を谷型に折る。また、第２山折り線６０ａで第２部分５４を山型に折るとともに、第２谷折り線６０ｂで第２部分５４を谷型に折る。さらに、第３山折り線６２ａおよび第４山折り線６４ａで第３部分５６を山型に折るとともに、第３谷折り線６２ｂおよび第４谷折り線６４ｂで第３部分５６を谷型に折る。
【００６２】
その後、図５（Ｂ），（Ｃ）に示すように、第１山折り線５８ａおよび第１谷折り線５８ｂによって第１折り部５８を第２部分５４に重なるように折るとともに、第２山折り線６０ａおよび第２谷折り線６０ｂによって第２折り部６０を第１部分５２に重なるように折る。さらに、第３山折り線６２ａおよび第３谷折り線６２ｂによって第３折り部６２を第１部分５２に重なるように折るとともに、第４山折り線６４ａおよび第４谷折り線６４ｂによって第４折り部６４を第２部分５４に重なるように折る。
【００６３】
図５（Ｃ）に示すように、第１折り部５８、第２折り部６０、第３折り部６２および第４折り部６４を完全に折った状態では、第１部分５２、第３部分５６および第２部分５４のそれぞれの一部がこの順に重ね合わされる。なお、図５（Ｃ）では、支持体４４の裏面Ｓ２を斜線で示している。
【００６４】
第２実施例に係る配線部材４０によれば、上記の構成より以下の効果を奏することができる。すなわち、図４（Ａ），（Ｂ）に示すように、２本のスリット４８，５０およびそれらの延長線Ｎ２，Ｎ３で区分された３つの部分５２，５４，５６が互いに重ね合わされるので、配線部材４０の幅を狭くすることができる。
【００６５】
図４（Ａ）に示すように、第３山折り線６２ａ、第３谷折り線６２ｂ、第４山折り線６４ａおよび第４谷折り線６４ｂのそれぞれが、他の折り線５８ａ，５８ｂ，６０ａ，６０ｂと平行に設けられているので、これらの折り線６２ａ，６２ｂ，６４ａ，６４ｂを形成し易く、第３折り部６２および第４折り部６４を簡単に折ることができる。
【００６６】
図４（Ａ）に示すように、第３山折り線６２ａと第３谷折り線６２ｂとの間隔Ｗ３および第４山折り線６４ａと第４谷折り線６４ｂとの間隔Ｗ４は、第１山折り線５８ａと第１谷折り線５８ｂとの間隔Ｗ１および第２山折り線６０ａと第２谷折り線６０ｂとの間隔Ｗ２のそれぞれの２分の１にされているので、第１部分５２、第２部分５４および第３部分５６を重ね合わせたときに、これらの長さを揃えることができる。
【００６７】
なお、図４（Ｃ）に示す配線部材４０における第１部分５２および第２部分５４のそれぞれの表面のうち、第１部分５２と第２部分５４と第３部分５６とが重ね合わされた重なり部６６の表面を構成する部分には、図３に示す第１実施例のシールド層３２と同様のシールド層が設けられてもよい。
【００６８】
この場合、第１部分５２および第２部分５４のそれぞれの幅を、第３部分５６の幅よりも広くしてもよい（図示省略）。このようにすれば、第１部分５２と第２部分５４と第３部分５６とが重ね合わされた重なり部６６の表面に設けられたシールド層によって、第１部分５２に含まれる導線４２ａ〜４２ｃ、第２部分５４に含まれる４２ｇ〜４２ｉおよび第３部分５６に含まれる導線４２ｄ〜４２ｆに関わる電磁波を広い範囲で遮断することができる。
【００６９】
また、このようなシールド層に代えて、図４（Ｃ）に示す第１部分５２および第２部分５４のそれぞれに含まれる導線４２ａ〜４２ｃおよび４２ｇ〜４２ｉをグランド線として用いてもよい。つまり、これらの導線４２ａ〜４２ｃおよび４２ｇ〜４２ｉに設けられる端子４６ａ〜４６ｃおよび４６ｇ〜４６ｉとして、接地用のグランド端子を用いてもよい。この場合でも、導線４２ａ〜４２ｃおよび４２ｇ〜４２ｉのシールド機能によって、第３部分５６に含まれる導線４２ｄ〜４２ｆで発生した電磁波が外部に漏洩したり、外部の電磁波が導線４２ｄ〜４２ｆを流れる電流に混入したりすることを抑制できる。
【００７０】
さらに、第１部分５２および第２部分５４のそれぞれに含まれる導線４２ａ〜４２ｃおよび４２ｇ〜４２ｉをグランド線として用いる場合には、第１部分５２および第２部分５４のそれぞれにおける導線が設けられた領域の幅を、第３部分５６における導線が設けられた領域の幅よりも広くしてもよい（図示省略）。この場合には、第１部分５２および第２部分５４のそれぞれに含まれる導線４２ａ〜４２ｃおよび４２ｇ〜４２ｉによって、第３部分５６に含まれる導線４２ｄ〜４２ｆに関わる電磁波を広い範囲で遮断することができる。
［第３実施例］
図６は、この発明の第３実施例に係る配線部材７０の構成を示す図であり、図６（Ａ）は折られる前の構成を示す平面図であり、図６（Ｂ）は折られた後に磁性部材７２を設けた構成を示す平面図である。図６（Ｂ）に示す状態が配線部材７０の完成状態である。
【００７１】
図６（Ａ）に示すように、第３実施例に係る配線部材７０（磁性部材７２を除く。）は、スリット７４の長さが短いことを除いて、図１（Ａ）に示す第１実施例に係る配線部材１０と同様に構成されている。そして、図６（Ｂ）に示すように、第１部分７６と第２部分７８とが重ね合わされた重なり部８０の周囲には、磁性部材７２が設けられている。磁性部材７２は、具体的にはフラットケーブル用のフェライトコアであり、ノイズを吸収する機能を有している。磁性部材７２は、帯状の重なり部８０を挟み込むように配線部材７０に装着される。
【００７２】
配線部材７０の長手方向における、第１折り部８２の山折り線８２ａと、第２折り部８４の山折り線８４ａとの距離（配線部材７０の長手方向における、第１折り部８２の谷折り線８２ｂと、第２折り部８４の谷折り線８４ｂとの距離）は、配線部材７０の長手方向における磁性部材７２の大きさに応じて設定される。具体的には、配線部材７０の長手方向における、第１折り部８２の山折り線８２ａと、第２折り部８４の山折り線８４ａとの距離は、配線部材７０の長手方向における磁性部材７２の大きさと同じか、配線部材７０の長手方向における磁性部材７２の大きさよりも僅かに大きく設定される。
【００７３】
第３実施例に係る配線部材７０によれば、重なり部８０の周囲に磁性部材７２が設けられているので、磁性部材７２を小型化できる。また、配線部材７０の幅は、重なり部８０で狭くなっているので、重なり部８０の長手方向における磁性部材７２の動きを、重なり部８０の長手方向両端部に設けられた第１折り部８２および第２折り部８４で制限できる。つまり、第１折り部８２および第２折り部８４で磁性部材７２を位置決めできる。
［第４実施例］
第４実施例の配線部材９０は、折り方を除いて、第１実施例の配線部材１０と同様に構成されているため、重複した説明は省略する。
【００７４】
図７は、この発明の第４実施例に係る配線部材９０の構成を示す図であり、図７（Ａ）は折られる前の構成を示す平面図であり、図７（Ｂ）は折られた後の構成を示す平面図である。
【００７５】
図７（Ａ）に示すように、第４実施例に係る配線部材９０では、支持体９２が、スリット９４およびその延長線Ｎ４によって第１部分９６と第２部分９８とに区分されている。第１部分９６における支持体９２の他方端９２ｂ側の端部には、第１折り部１００が設けられている。第２部分９８における支持体９２の一方端９２ａ側の端部には、第２折り部１０２が設けられており、第２部分９８における支持体９２の他方端９２ｂ側の端部には、第３折り部１０４が設けられている。
【００７６】
第１折り部１００を構成する第１山折り線１００ａと第２谷折り線１００ｂとの間隔は、第２折り部１０２を構成する第２山折り線１０２ａと第２谷折り線１０２ｂとの間隔および第３折り部１０４を構成する第３山折り線１０４ａと第３谷折り線１０４ｂとの間隔のそれぞれの２倍にされている。仮想直線Ｌに対する各折り線１００ａ，１００ｂ，１０２ａ，１０２ｂ，１０４ａ，１０４ｂの傾斜角度αは４５度にされており、第１部分９６および第２部分９８のそれぞれの幅は同じにされている。
【００７７】
第１山折り線１００ａは、第３山折り線１０４ａと連続するように設けられている。また、配線部材９０が折られる前の状態では、第１谷折り線１００ｂと、第３谷折り線１０４ｂとは、配線部材９０の長手方向において同じ位置に設けられている。第１谷折り線１００ｂは、スリット９４側の端部がその反対側の端部よりも支持体９２の一方端９２ａ側でスリット９４に臨むように設けられている。第２山折り線１０２ａ、第２谷折り線１０２ｂおよび第３谷折り線１０４ｂのそれぞれは、スリット９４側の端部がその反対側の端部よりも支持体９２の他方端９２ｂ側でスリット９４に臨むように設けられている。
【００７８】
図７（Ｂ）に示すように、第１折り部１００、第２折り部１０２および第３折り部１０４を折ったときには、第１部分９６と第２部分９８とが重ね合わされることによって重なり部１０６が構成される。上記の構成により、重なり部１０６の幅は、折られる前の配線部材９０の幅の２分の１になる。図７（Ｂ）では、支持体９２の裏面Ｓ２を斜線で示している。
【００７９】
第４実施例においても、第１実施例と同様に、第１部分９６と第２部分９８とを重ね合わせて配線部材９０の幅を狭くすることができる。
【００８０】
なお、上記の各実施例では、配線部材１０，４０，７０，９０がフレキシブルフラットケーブル（ＦＦＣ）として構成されているが、これらは、フレキシブルプリント配線板（ＦＰＣ）として構成されてもよい。
【符号の説明】
【００８１】
１０，４０，７０，９０  …配線部材
１２ａ〜１２ｊ，４２ａ〜４２ｉ  …導線
１４，４４，９２  …支持体
１８，４８，５０，７４，９４  …スリット
２０，５２，７６，９６  …第１部分
２２，５４，７８，９８  …第２部分
２４，５８，８２，１００  …第１折り部
２４ａ，５８ａ，８２ａ，１００ａ  …第１山折り線
２４ｂ，５８ｂ，８２ｂ，１００ｂ  …第１谷折り線
２６，６０，８４，１０２  …第２折り部
２６ａ，６０ａ，８４ａ，１０２ａ  …第２山折り線
２６ｂ，６０ｂ，８４ｂ，１０２ｂ  …第２谷折り線
５６  …第３部分
６２，１０４  …第３折り部
６２ａ，１０４ａ  …第３山折り線
６２ｂ，１０４ｂ  …第３谷折り線
６４  …第４折り部
６４ａ  …第４山折り線
６４ｂ  …第４谷折り線
Ｌ  …仮想直線
Ｎ１，Ｎ２，Ｎ３，Ｎ４  …延長線
α  …角度
【図１】
2019008992.tif 000003
【図２】
2019008992.tif 000004
【図３】
2019008992.tif 000005
【図４】
2019008992.tif 000006
【図５】
2019008992.tif 000007
【図６】
2019008992.tif 000008
【図７】
2019008992.tif 000009